(57)【要約】【課題】大型化を抑制しつつ色むらを抑制できる照明装置を提供する。【解決手段】照明装置は、反射部と、発光モジュール14とを備える。反射部は、光を反射して出射させる凹面状の反射面を備える。発光モジュール14は、柱状の支持体31、発光素子32、および、封止部33を備える。支持体31は、反射部の内部に光軸方向に沿って配置される。発光素子32は、支持体31の側面31aに配置される。封止部33は、透光性を有し発光素子32を一体に覆う。【選択図】図１
2016091745.tif 000002
【特許請求の範囲】
【請求項１】
光を反射して出射させる凹面状の反射面を備えた反射部と；
この反射部の内部に光軸方向に沿って配置された柱状の支持体、この支持体の側面に配置された発光素子、および、透光性を有する樹脂により形成されこれら発光素子を一体に覆う封止部を備えた発光モジュールと；
を具備していることを特徴とする照明装置。
【請求項２】
封止部は、球状に形成されて全ての発光素子を一体に覆っている
ことを特徴とする請求項１記載の照明装置。
【請求項３】
発光モジュールは、
前記封止部中に混入されて発光素子の放射光により励起されこの励起波長と異なる波長の光を放射する少なくとも１種類の蛍光体と、
前記封止部中の少なくとも前記発光素子に対して光の出射方向側の位置に混入されて前記発光素子の放射光を拡散させる拡散材とを備えている
ことを特徴とする請求項２記載の照明装置。
【請求項４】
発光モジュールは、封止部中に混入されて発光素子の放射光により励起されこの励起波長と異なる波長の光を放射する複数種類の蛍光体を備え、
前記蛍光体は、放射光の色の波長が互いに異なり、光の出射方向に向けて、放射光の色の波長が相対的に短いものから長いものへと順次配置されている
ことを特徴とする請求項２記載の照明装置。
【請求項５】
発光モジュールは、封止部中に混入されて発光素子の放射光により励起されこの励起波長と異なる波長の光を放射する複数種類の蛍光体を備え、
前記蛍光体は、放射光の色の波長が互いに異なり、前記封止部の中心側から外側に向けて、放射光の色の波長が相対的に長いものから短いものへと順次配置されている
ことを特徴とする請求項２記載の照明装置。
【請求項６】
封止部は、反射面に対向して光軸方向に対して傾斜した出射面を備え光軸方向に沿って回転軸を有する回転体状に形成されて全ての発光素子を一体に覆っている
ことを特徴とする請求項１記載の照明装置。
【請求項７】
発光モジュールは、封止部中に混入されて発光素子の放射光により励起されこの励起波長と異なる波長の光を放射する少なくとも１種類の蛍光体を備え、
前記封止部は、光軸方向の寸法が光軸方向と直交する方向の寸法よりも小さい扁平状に形成されている
ことを特徴とする請求項１記載の照明装置。
【発明の詳細な説明】
【技術分野】
【０００１】
本発明の実施形態は、光軸方向に沿って配置された多角形柱状の支持体の各側面にそれぞれ配置された発光素子を備えた照明装置に関する。
【背景技術】
【０００２】
従来、例えばダウンライトやスポットライトに用いられる反射鏡付きのハロゲン電球がある。近年、省電力化および長寿命化を目的として、発光ダイオードなどの発光素子を用いた照明装置に置き換えられてきている。
【０００３】
このような照明装置は、小型化に伴い、発光素子の実装面積を狭くすることが検討されているものの、実装面積を狭くするのみでは限界があるため、近年、発光素子を多角形柱状の支持体の側面に配置した、立体配置構造の発光モジュールが採用されている。
【０００４】
しかしながら、発光素子には配光があるため、上記のような立体配置の場合、色むらが発生する。この点、支持体の多角形の角数を増加させることで色むらは抑制できるものの、発光モジュールが大型化する。
【０００５】
また、発光素子を立体配置した場合、放熱経路が制限されることで熱的に不利となり、特性が低下するおそれがある。
【先行技術文献】
【特許文献】
【０００６】
【特許文献１】登録実用新案第３１６９０１１号公報
【特許文献２】特許第４４６９４１１号公報
【発明の概要】
【発明が解決しようとする課題】
【０００７】
本発明が解決しようとする課題は、大型化を抑制しつつ色むらを抑制できる照明装置を提供することである。
【課題を解決するための手段】
【０００８】
実施形態の照明装置は、反射部と、発光モジュールとを備える。反射部は、光を反射して出射させる凹面状の反射面を備える。発光モジュールは、柱状の支持体、発光素子、および、封止部を備える。支持体は、反射部の内部に光軸方向に沿って配置される。発光素子は、支持体の側面に配置される。封止部は、透光性を有し発光素子を一体に覆う。
【発明の効果】
【０００９】
本発明によれば、複数の発光素子を同一の封止部により一体に覆うことで、大型化を抑制しつつ、発光素子からの放射光が封止部により拡散されて色むらが抑制されることが期待できる。
【図面の簡単な説明】
【００１０】
【図１】第１の実施形態の照明装置の発光モジュールを示す断面図である。
【図２】同上照明装置の発光モジュールを光軸方向から示す平面図である。
【図３】(a)は同上照明装置の断面図、(b)は同上照明装置の一部を示す斜視図である。
【図４】第２の実施形態の照明装置の発光モジュールを示す断面図である。
【図５】同上発光モジュールを光軸方向から示す平面図である。
【図６】第３の実施形態の照明装置の発光モジュールを示す断面図である。
【図７】同上発光モジュールを光軸方向から示す平面図である。
【図８】第４の実施形態の照明装置の発光モジュールを示す断面図である。
【図９】同上発光モジュールを光軸方向から示す平面図である。
【図１０】第５の実施形態の照明装置の発光モジュールを示す断面図である。
【図１１】同上照明装置の発光素子の配光分布を模式的に示す説明図である。
【図１２】第６の実施形態の照明装置の発光モジュールを示す断面図である。
【図１３】第７の実施形態の照明装置の発光モジュールを示す断面図である。
【図１４】第８の実施形態の照明装置の発光モジュールを示す断面図である。
【図１５】第９の実施形態の照明装置を模式的に示す断面図である。
【図１６】第１０の実施形態の照明装置を模式的に示す断面図である。
【発明を実施するための形態】
【００１１】
以下、第１の実施形態の構成を図１ないし図３を参照して説明する。
【００１２】
図３(a)において、11は照明装置であり、この照明装置11は、例えば従来のハロゲン電球の代替として用いられるものである。
【００１３】
この照明装置11は、図３(a)および図３(b)に示すように、本体部12と、この本体部12に取り付けられた反射部13と、この反射部13の内部に位置する発光モジュール14と、反射部13に取り付けられたカバー15(図３(a)にのみ図示)と、本体部12に取り付けられた口金16とを備えている。なお、以下、照明装置11からの光の出射方向を基準とし、光の出射側を光軸方向前側、あるいは前側とし、その反対側を光軸方向後側、あるいは後側とする。
【００１４】
本体部12は、収納部21と接続部22とを有している。この本体部12は、例えば熱伝導率が高く、かつ絶縁性を有する材料により形成されている。この本体部12を構成する材料としては、例えば窒化アルミニウム(AlN)などのセラミック、あるいは高熱伝導性樹脂などを用いることもできるし、例えば、アルミニウム(Al)、銅(Cu)、あるいはこれらの合金などの金属の表面に絶縁層を設けたものとすることもできる。
【００１５】
収納部21は、例えば円筒形状に形成されている。この収納部21の内部には、発光モジュール14に電力を供給する図示しない点灯回路が収納されている。なお、この収納部21の内部には、例えば発光モジュール14を調光するための調光回路をさらに収納することもできる。
【００１６】
接続部22は、反射部13が設けられる側とは反対側である収納部21の一端部に設けられている。この接続部22は、口金16に向かうに従い断面積が小さくなるように縮径されている。
【００１７】
反射部13は、光学リフレクタとも呼ばれ、例えば硬質ガラス、耐熱性合成樹脂、あるいは金属などから形成されている。この反射部13は、光軸方向後側である本体部12(収納部21)側の端部から光軸方向前側の端部に向かうに従い徐々に断面積が小さくなるように拡径して形成されており、内部に例えば回転放物面や回転楕円面などの、焦点を有する凹面状の反射面25を備えている。この反射面25の表面には、光や熱を反射する図示しない反射膜が設けられている。この反射膜は、例えばクロム(Cr)などから形成されている。また、この反射部13は、光軸方向後側が収納部21の内部に挿入されてこの収納部21(本体部12)に対して接着などにより固定され、光軸方向前側が開口されてカバー15により閉塞されている。
【００１８】
図１ないし図３に示す発光モジュール14は、支持体31と、この支持体31に実装された複数の発光素子32と、全ての発光素子32を一体に覆って封止する封止部33とを有している。
【００１９】
支持体31は、軸方向に直交する方向の断面が多角形状の柱状、すなわち多角形柱状に形成されている。本実施形態では、この支持体31は、四角柱状で、かつ、直柱状に形成されている(図２)。このため、この支持体31は、軸方向に沿う細長い四角形状の４つの側面31aを有している。この支持体31は、熱伝導率が高く、ある程度の剛性を有する材料により形成される。例えば、この支持体31は、窒化アルミニウムなどのセラミックス、高熱伝導性樹脂、アルミニウム、銅、あるいはこれらの合金などの金属などにより形成できる。したがって、この支持体31は、発光素子32からの熱を放熱する放熱部(ヒートシンク)となっている。また、この支持体31は、光軸方向後側の端部が例えば収納部21(本体部12)に保持され、光軸方向前側が反射部13の内部に向けて収納部21(本体部12)から突出している。この支持体31は、反射面25の回転軸となる照明装置11の光軸に沿って配置されている。また、この支持体31は、例えば反射部13の光軸方向前端の径寸法、すなわち最大径寸法が５０ｍｍ程度である場合、側面31aの幅寸法(短手寸法)が４〜５ｍｍ程度となるように形成されている。
【００２０】
発光素子32は、例えばＬＥＤ、あるいは有機ＥＬ素子などの半導体発光素子が用いられる。本実施形態では、これら発光素子32は、白色光を出射する。これら発光素子32は、支持体31の各側面31aにそれぞれ少なくとも１つずつ実装されて、支持体31(側面31a)に対して熱的に接続されている。これら発光素子32の各側面31aでの数や配置は、特に限定されるものではなく、発光素子32の発光強度や大きさなどに応じて任意に設定できるが、本実施形態では、例えば支持体31の各側面31aの前端側、すなわち支持体31の軸方向の本体部12(収納部21)と反対側の端部近傍の位置に、支持体31の軸方向(光軸方向)に沿って直線状に複数ずつ、略等間隔に離間された状態で実装されている。これら発光素子32は、例えば反射部13の光軸方向前端の径寸法、すなわち最大径寸法が５０ｍｍ程度である場合、例えば支持体31の軸方向(光軸方向)に沿って５〜６ｍｍに亘る領域に配置されている。したがって、照明装置11は、発光素子32が立体配置された構造となっている。また、これら発光素子32は、図示しない配線などを介して点灯回路と電気的に接続されている。
【００２１】
封止部33は、透光性を有する合成樹脂により球状に形成されている。本実施形態では、この封止部33は、無色透明なシリコーンなどの合成樹脂により形成され、発光素子32を実装した支持体31に対して例えばモールド(成形)などの方法により形成されている。この封止部33は、全ての発光素子32を一体に封止できれば、その位置は限定されないが、好ましくは、支持体31の軸方向の本体部12(収納部21)と反対側の端部を内部に封止し、かつ、支持体31の中心軸(光軸)が中心を通る位置とし、発光素子32が中心近傍に位置するようにする。したがって、この封止部33は、回転体となっている。この封止部33の径寸法は、大きくするほど(発光素子32の実装領域に対して相対的に大きいほど)光の取り出し効率が向上する一方で、大きすぎると反射面25からの反射光の出射を阻害するおそれがあるので、例えば反射部13の光軸方向前端の径寸法、すなわち最大径寸法が５０ｍｍ程度である場合、１０ｍｍ程度を上限とし、反射面25に接触しない大きさとすることが望ましい。
【００２２】
カバー15は、例えば透光性を有する材料により板状に形成されて、反射部13の前端部に嵌合されている。このカバー15は、例えばレンズやプリズムなどの光学的な機能を有するものであってもよいし、光学的な機能を有さないものであってもよい。なお、このカバー15は、必須の構成ではない。
【００２３】
口金16は、例えば金属などの導電性材料から形成されたシェル部37およびアイレット部38を有し、例えばＪＩＳ規格に定められているＥ１１形などと同様の形状を有している。なお、この口金16は、この形状に限定されるものではなく、適宜の形状とすることができる。
【００２４】
シェル部37は、ねじ山を有する筒状体であり、接続部22の外周面に設けられている。アイレット部38は、接続部22の端部に設けられている。そして、これらシェル部37とアイレット部38は、図示しない配線などを介して点灯回路と電気的に接続されている。
【００２５】
次に、上記第１の実施形態の作用を説明する。
【００２６】
照明装置11の口金16を天井などの設置位置に設けられた図示しないソケットにねじ込んで装着すると、口金16が外部電源と電気的に接続され、この外部電源から口金16を介して点灯回路に給電される。この点灯回路は、例えば定電流を発光素子32に供給することで、これら発光素子32を点灯させる。発光素子32からの放射光は、封止部33により拡散されて均一化された状態で封止部33から出射し、大部分が反射部13の反射面25により反射され、残りの一部が封止部33から光軸方向に沿って直接、カバー15を通じて照明装置11の外部へと出射される。この結果、色むらが抑制された略円形状の投影光が形成される。
【００２７】
このように、全ての発光素子32を一体に覆う封止部33を球状とすることで、この封止部33の界面での全反射を抑制でき、光取り出し効率をより向上できる。
【００２８】
また、発光素子32から発生する熱は、これら発光素子32と熱的に接続された支持体31およびこれら発光素子32を覆う封止部33により放熱され、発熱による発光素子32の発光効率の低下を抑制できる。
【００２９】
なお、上記第１の実施形態において、図４および図５に示す第２の実施形態のように、支持体31を六角柱状とすることもできる。この場合には、各側面31aに実装された発光素子32からの放射光に暗部がより生じにくくなり、色むらをより抑制でき、投影光の形状をより円形にしやすくなる。
【００３０】
次に、第３の実施形態を図６および図７を参照して説明する。なお、上記第１の実施形態と同様の構成および作用については、同一符号を付してその説明を省略する。
【００３１】
この第３の実施形態は、封止部33が、円錐台(截頭円錐)状に形成されているものである。すなわち、この封止部33は、光軸方向に沿って回転軸を有する回転体状であり、光軸方向後側から前側に向かうに従い徐々に拡径するように形成されている。この封止部33の側面は、反射面25に対向して光軸方向に対して傾斜した出射面41となっている。つまり、この出射面41は、法線方向が光軸方向後側に向かうように傾斜している。
【００３２】
そして、点灯回路により点灯された各発光素子32からの放射光は、封止部33によって拡散されて均一化されつつ封止部33から出射し、大部分が出射面41から反射面25に向けて出射してこの反射面25により反射され、カバー15を通じて照明装置11の外部へと出射される。この結果、色むらが抑制された略円形状の投影光が形成される。
【００３３】
このように、全ての発光素子32を一体に覆う封止部33を、反射面25に対向して光軸方向に対して傾斜した出射面41を備え光軸方向に沿って回転軸を有する回転体状に形成することで、発光素子32から封止部33を介して出射する光を出射面41から効率よく反射面25に照射できるとともに、発光素子32から封止部33を介して反射部13の前端開口(カバー15)から直接出射する放射光が抑制されるため、外部出射を反射部13の反射面25によって制御しやすくなり、照射面の均斉度を向上できる。
【００３４】
なお、上記第３の実施形態において、図８および図９に示す第４の実施形態のように、支持体31を六角柱状とすることもできる。この場合には、各側面31aに実装された発光素子32からの放射光に暗部がより生じにくくなり、色むらをより抑制でき、投影光の形状をより円形にしやすくなる。
【００３５】
次に、第５の実施形態を図１０および図１１を参照して説明する。なお、上記各実施形態と同様の構成および作用については、同一符号を付してその説明を省略する。
【００３６】
この第５の実施形態は、各発光素子32が、光のピーク波長が所定の波長である放射光、本実施形態では青色の光を放射し、封止部33中に、各発光素子32からの放射光により励起される少なくとも１種類の蛍光体45と、各発光素子32からの放射光を拡散させる拡散材46とがそれぞれ混入されているものである。
【００３７】
各発光素子32は、ランバーシアン配光の光Ｌを放射する(図１１)。そのため、発光素子32全体として、支持体31の各側面31aに対して直交する方向、すなわち光軸方向(支持体31の軸方向)と直交する方向に最大の強度を有し、各側面31aに対して平行な側面方向、すなわち光軸方向(支持体31の軸方向)の強度が相対的に小さくなっている。
【００３８】
蛍光体45は、例えばＹＡＧ系蛍光体などを用いることができる。この蛍光体45は、発光素子32からの青色の放射光により励起され、この励起波長と異なるピーク波長、本実施形態では黄色の蛍光を放射する。すなわち、この蛍光体45は、発光素子32からの放射光を波長変換する。
【００３９】
拡散材46は、発光素子32からの放射光を拡散させるもので、封止部33中の、少なくとも発光素子32に対して光軸方向前側の位置、本実施形態では封止部33全体に拡散されて混入されている。
【００４０】
そして、点灯回路により点灯された発光素子32からの青色の放射光は、この放射光により励起された蛍光体45からの黄色の放射光と混ざり合うとともに、拡散材46により拡散されることで、色むらが抑制された白色の光が封止部33(発光モジュール14)から出射される。
【００４１】
このように、少なくとも１種類の蛍光体45を混入した封止部33中の少なくとも発光素子32に対して光の出射方向側、すなわち光軸方向前側の位置に拡散材46を混入したことで、支持体31の各側面31aに配置されたランバーシアン配光の発光素子32の光の強度が相対的に小さく(弱く)なる光軸方向前側への光を拡散材46により拡散させて補い、全体の配光を揃えることができる。
【００４２】
また、封止部33中に拡散材46を混入することで、全体の配光をより確実に揃えることができるとともに、封止部33を球状とすることができ、封止部33の形成がより容易になる。
【００４３】
なお、上記第５の実施形態において、図１２に示す第６の実施形態のように、封止部33の形状を、光軸方向の寸法を光軸方向に対して直交する方向の寸法に対して小さくした、光軸方向に扁平な楕円球体状、換言すれば光軸方向に沿う方向の断面が楕円形状となる回転体としてもよい。この場合には、上記第５の実施形態の拡散材46は混入しなくてもよく、封止部33の形状によって発光素子32からの放射光の強度が相対的に小さい光軸方向前側への光の強度を、発光素子32からの放射光の強度が相対的に大きい光軸方向と直交する方向と略同等に補正できる。したがって、上記第５の実施形態と同様に全体の配光を揃えることができ、色むらが抑制された白色の光が封止部33(発光モジュール14)から出射される。
【００４４】
しかも、拡散材46が不要となることで、より安価に製造できる。
【００４５】
次に、第７の実施形態を図１３を参照して説明する。なお、上記各実施形態と同様の構成および作用については、同一符号を付してその説明を省略する。
【００４６】
この第７の実施形態は、各発光素子32が、光のピーク波長が所定の波長である放射光、本実施形態では青色の光を放射し、封止部33中に複数種類、例えば３種類の蛍光体である第１ないし第３の蛍光体51〜53が混入されているものである。
【００４７】
第１の蛍光体51は、発光素子32からの青色の放射光により励起され、この励起波長と異なるピーク波長、本実施形態では赤色の蛍光を放射する。
【００４８】
第２の蛍光体52は、発光素子32からの青色の放射光により励起され、この励起波長と異なるピーク波長、本実施形態では黄色の蛍光を放射する。
【００４９】
第３の蛍光体53は、発光素子32からの青色の放射光により励起され、この励起波長と異なるピーク波長、本実施形態では緑色の蛍光を放射する。
【００５０】
したがって、これら第１ないし第３の蛍光体51〜53は、互いに放射光の色の波長が異なっている。換言すれば、これら第１ないし第３の蛍光体51〜53は、それぞれ発光素子32からの放射光を互いに異なる波長に変換する。
【００５１】
そして、本実施形態では、封止部33の内部において、光の出射方向、すなわち光軸方向後側から前側に向かい、第３の蛍光体53から第１の蛍光体51へと順次配置されている。すなわち、第１ないし第３の蛍光体51〜53は、光軸方向後側から前側に向けて、波長が短いものから長いものへと順次層が形成されるように配置されている。第１の蛍光体51は、発光素子32に対して光軸方向前側に位置して封止部33の光軸方向前側を層状に構成し、第２の蛍光体52は、相対的に前側に位置する発光素子32を覆って封止部33の光軸方向の中央部付近を層状に構成し、第３の蛍光体53は、相対的に後側に位置する発光素子32を覆って封止部33の光軸方向後側を層状に構成している。
【００５２】
そして、点灯回路により点灯された発光素子32からの青色の放射光は、この放射光により励起された第１ないし第３の蛍光体51〜53からの赤色、黄色および緑色の放射光と混ざり合う。このとき、第１ないし第３の蛍光体51〜53を、光の出射方向に向けて、放射光の色の波長が相対的に短いものから長いものへと順次配置したことで、第１ないし第３の蛍光体51〜53による光の相互吸収が抑制され、発光効率の低下を抑制でき、発光素子32からの放射光とこれら第１ないし第３の蛍光体51〜53による放射光とが混ざって色むらが抑制された白色の光が封止部33(発光モジュール14)から出射される。
【００５３】
特に、短波長の光は長波長の光を発生させる蛍光体に吸収されやすいため、発光素子32を覆う位置に相対的に放射光の色の波長が短い第２および第３の蛍光体52，53を配置し、発光素子32を覆わず発光素子32からの放射光の強度が相対的に弱い光の出射方向側である光軸方向前側に相対的に放射光の色の波長が長い第１の蛍光体51を配置したので、第２および第３の蛍光体52，53による蛍光(放射光)が第１の蛍光体51による蛍光(放射光)に吸収されにくく、発光効率の低下をより確実に抑制できる。
【００５４】
なお、上記第７の実施形態において、図１４に示す第８の実施形態のように、第１ないし第３の蛍光体51〜53を、封止部33の中心側から外側へと、第１の蛍光体51、第２の蛍光体52、第３の蛍光体53の順に配置してもよい。すなわち、第１ないし第３の蛍光体51〜53は、封止部33の中心側から外側に向かい、放射光の波長が長いものから短いものへと順次配置してもよい。この場合にも、点灯回路により点灯された発光素子32からの青色の放射光が、この放射光により励起された第１ないし第３の蛍光体51〜53からの赤色、黄色および緑色の放射光と混ざり合うときに、第１ないし第３の蛍光体51〜53による光の相互吸収が抑制され、発光効率の低下を抑制できる。
【００５５】
また、上記第７および第８の実施形態を、上記第２ないし第６の実施形態と組み合わせてもよい。
【００５６】
また、上記第５ないし第８の実施形態において、蛍光体45および第１ないし第３の蛍光体51〜53の種類や発光素子32の種類は、これら実施形態に限定されるものではなく、照明装置11の用途などに応じて所望の発光色が得られるように適宜変更できる。
【００５７】
また、上記各実施形態において、支持体31の形状は、直柱に限定されるものではなく、例えば光軸方向後側から前側へと、光軸方向と直交する方向の断面積が徐々に小さくなる角錐状や角錐台状などとすることもできる。
【００５８】
そして、以上説明した少なくとも一つの実施形態によれば、複数の発光素子32を同一の封止部33により一体に覆うことで、例えば支持体31の側面31aの数を増加させる場合と比較して大型化を抑制しつつ、発光素子32からの放射光を封止部33により拡散して色むらを抑制できる。
【００５９】
次に、第９の実施形態を図１５を参照して説明する。なお、上記各実施形態と同様の構成および作用については、同一符号を付してその説明を省略する。
【００６０】
この第９の実施形態は、支持体31が光軸方向前側から後側へと、光軸方向と直交する方向の断面積が徐々に小さくなる、すなわち細くなる角錐台状(截頭角錐状)に形成されているものである。このため、支持体31は、各側面31aの法線方向が光軸方向後側を向くように傾斜して、これら側面31aが反射面25に対向している。
【００６１】
そして、このように構成した支持体31を有する発光モジュール14を反射部13と組み合わせることで、発光素子32からの放射光の略全てを反射面25に入射させることができる。一般に、発光素子32を支持体31の側面31aに実装して立体配置する場合、発光素子32からの放射光のうち反射部13の前端開口(カバー15)から直接出射する反射光を制御できず、照射面の均斉度が低下しやすい。これに対して、本実施形態では、反射部13の前端開口(カバー15)から反射面25により反射されることなく直接出射する発光素子32からの放射光が抑制されるので、照明装置11の発光の外部出射を反射面25によって制御することが可能になり、照射面の均斉度を向上できる。
【００６２】
次に、第１０の実施形態を図１６を参照して説明する。なお、上記各実施形態と同様の構成および作用については、同一符号を付してその説明を省略する。
【００６３】
この第１０の実施形態は、発光モジュール14(支持体31)が反射部13に対して着脱可能となっているものである。支持体31の後端部は、例えば本体部12(収納部21)の中央部(光軸と交差する位置)に設けられた凹部55に対して挿入嵌合されることで着脱可能に保持される。そして、例えば発光モジュール14を着脱できない照明装置11では、寿命交換時や発光色を異なるものに変更する際に照明装置11ごとの交換が必要となるのに対して、本実施形態では、発光モジュール14を着脱できるので、寿命交換や発光色の変更時などに、容易に発光モジュール14を交換できる。
【００６４】
なお、上記第９および第１０の実施形態において、上記第１ないし第８の実施形態の封止部33をそれぞれ適用することもできる。
【００６５】
また、上記第５ないし第１０の実施形態において、上記第２の実施形態、あるいは第４の実施形態のように、支持体31を六角柱状などとすることもできる。
【００６６】
また、上記第１ないし第１０の実施形態において、支持体31は、三角柱以上の多角形柱状であれば、四角柱状や六角柱状に限定されるものではない。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
11    照明装置
13    反射部
14    発光モジュール
25    反射面
31    支持体
31a   側面
32    発光素子
33    封止部
41    出射面
45    蛍光体
46    拡散材
51    蛍光体である第１の蛍光体
52    蛍光体である第２の蛍光体
53    蛍光体である第３の蛍光体
【図１】
2016091745.tif 000003
【図２】
2016091745.tif 000004
【図３】
2016091745.tif 000005
【図４】
2016091745.tif 000006
【図５】
2016091745.tif 000007
【図６】
2016091745.tif 000008
【図７】
2016091745.tif 000009
【図８】
2016091745.tif 000010
【図９】
2016091745.tif 000011
【図１０】
2016091745.tif 000012
【図１１】
2016091745.tif 000013
【図１２】
2016091745.tif 000014
【図１３】
2016091745.tif 000015
【図１４】
2016091745.tif 000016
【図１５】
2016091745.tif 000017
【図１６】
2016091745.tif 000018